(57)【特許請求の範囲】
【請求項１】
耐火スクリーンに避難扉を開閉自在に設け、該避難扉を前記耐火スクリーンに重ね合わせて閉じるようにした防火防煙シャッターにおいて、前記耐火スクリーン及び前記避難扉にこれらを固着する面ファスナーを設け、前記避難扉に設けた面ファスナー近傍に重りを設け、前記避難扉を閉じる際、前記重りによる押圧力を介在させて、避難扉側の面ファスナーが耐火スクリーン側の面ファスナーを押圧して固着するようにし、前記避難扉側の面ファスナー及び前記重りの取付位置は、前記避難扉が開閉する際、最高速度となる部位及びその近傍であり、前記面ファスナーは、ステンレス製面ファスナーと樹脂製面ファスナーとを、それぞれ別の場所に用いる併用ファスナーであることを特徴とする防火防煙シャッター。
【発明の詳細な説明】
【０００１】
【発明の属する技術分野】
本発明は、ガラス繊維等の耐火スクリーンに避難扉を設け、人が容易に通過でき、且つ火災の延焼や煙の拡散を防止することができる防火防煙シャッターに関する。
【０００２】
【従来の技術】
従来の防火防煙シャッターとして、特開平１０−３３７０５号公報による防火区画用スクリーン装置が知られている。この防火区画用スクリーン装置は、図１０に示すように、天井や梁下から垂下して設置され、建物の内部空間を遮蔽する不燃あるいは耐火スクリーン５０があり、この耐火スクリーン５０には垂直方向に下端まで達して形成された１つのスリット部５１があり、そこで耐火スクリーン５０が左右に分けられている。耐火スクリーン５０の下端には、スリット部５１の左右の所定長さ部分を除き、メインウエイトバー５２、５３が水平方向に取り付けられている。そして、この耐火スクリーン５０下端におけるスリット部５１の左右の所定長さ部分には、左右に独立したサブウエイトバー５４、５５が水平に取り付けられている。
【０００３】
従って、この防火区画用スクリーン装置によれば、避難する人が手でスリット部５１を容易に押し広げることができ、避難した後はサブウエイトバー５４、５５の重力により、スリット部５１が耐火スクリーン５０下端におけるスリット部５１の左右の所定長さ部分に戻り、スリット部５１が閉じ、以後は火災の延焼や煙の拡散を防止することができるものである。
【０００４】
【発明が解決しようとする課題】
しかしながら、上記防火区画用スクリーン装置を再現した実験によれば、火災によって発生する風圧により、サブウエイトバー５４、５５の重力だけでは、スリット部５１を閉鎖状態に保つことは困難であり、延焼や煙の拡散を防止することが難しい。更に、上記公報にはメインウエイトバー５２、５３とサブウエイトバー５４、５５とを永久磁石の磁力で引き合うようにする記載もあるが、これも実験によると、火災時における高温状況において、永久磁石はその磁力が急速に低下し、やはりスリット部５１を閉鎖状態に保つことは困難であり、延焼や煙の拡散を防止することが難しいという問題がある。また、防火防煙シャッターには、火災時に想定される、例えば柱が倒れかかってきた場合等の建築材料の倒壊等に起因する物理的な衝撃に耐える強度が必要とされるが、この点に関しても永久磁石を用いた構造では問題がある。すなわち、火災時における高温状況にした直後に天井部から吊るした３kgの砂袋を50cmの高低差から振り子のようにしてスリット開口の中央部近傍に衝突させる実験では、永久磁石を用いた構成では、ほとんど磁力が失われるため、容易にスリット部５１が開放してしまう。
【０００５】
従って、本発明の目的は、上記課題を解決するものであって、火災によって発生する風圧や温度上昇に伴う閉鎖状態の保持力低下を防止して、避難する人が容易に避難でき、且つ避難後の火災の延焼や煙の拡散を確実に防止することができる防火防煙シャッターを提供することにある。
【０００６】
【課題を解決するための手段】
かかる実情において、本発明者らは鋭意検討を行った結果、耐火スクリーンに重力により避難扉を重ね合わせて閉じる構造にし、耐火スクリーン及び避難扉にこれらを固着するステンレス製の面ファスナーを設けると、重力により重ね合わさる際、耐火スクリーンと避難扉とを面ファスナーにより固着し、しかも火災が進み高温になると、ステンレス製の面ファスナーの固着力が増大し、強くなってくる風圧に抗し易くなることを見出し、本発明を完成するに至った。
【０００７】
すなわち、請求項１の発明は、耐火スクリーンに避難扉を開閉自在に設け、該避難扉を前記耐火スクリーンに重ね合わせて閉じるようにした防火防煙シャッターにおいて、前記耐火スクリーン及び前記避難扉にこれらを固着する面ファスナーを設け、前記避難扉に設けた面ファスナー近傍に重りを設け、前記避難扉を閉じる際、前記重りによる押圧力を介在させて、避難扉側の面ファスナーが耐火スクリーン側の面ファスナーを押圧して固着するようにし、前記避難扉側の面ファスナー及び前記重りの取付位置は、前記避難扉が開閉する際、最高速度となる部位及びその近傍であり、前記面ファスナーは、ステンレス製面ファスナーと樹脂製面ファスナーとを、それぞれ別の場所に用いる併用ファスナーであることを特徴とする防火防煙シャッターが提供される。かかる構成を採ることにより、人が避難扉を開けて通過し避難したあと、避難扉が耐火スクリーンに重なり合う際に面ファスナーにより固着して、火災による風圧によっては開くことがない。また、避難扉が重力により耐火スクリーンに重なる際、避難扉の自重に加えて重りの重さも加算されて、面ファスナーにより避難扉と耐火スクリーンとが確実に固着する。また、避難扉が重力により耐火スクリーンに重なる際、避難扉の自重及び重りの重さの最大力が面ファスナーにかかり、避難扉と耐火スクリーンとが最も強く固着する。また、低価格であって、繰り返し利用による耐久性に優れる樹脂製面ファスナーと、耐熱性に優れるステンレス製面ファスナーの双方の利点を取り込むことが可能となる。
【０００８】
【００１２】
【発明の実施の形態】
次に、本発明の実施の形態である防火防煙シャッターについて図１〜図９に基づいて詳述する。図１は本発明の実施の形態である防火防煙シャッターを示す斜視図、図２は本発明の実施の形態である防火防煙シャッターの設置状態を示す横断面図、図３は本発明の実施の形態である防火防煙シャッターを構成する避難扉下部の断面図である。図において、防火防煙シャッター１は、天井や梁下に設置され、自重により天井や梁下から垂下して建物の内部空間を遮蔽し、図示しない巻取装置により巻き上げ、巻き下げられるものである。防火防煙シャッター１は、耐火スクリーン２に避難扉３を開閉自在に設け、この避難扉３を耐火スクリーン２に重ね合わせて閉じるようにしてあり、耐火スクリーン２及び避難扉３にはこれらを固着する面ファスナー４が付設されている。
【００１３】
前記耐火スクリーン２は、ガラス繊維の織布やシリカクロス等の不燃・耐火材料により構成され、固定スクリーン１０と可動スクリーン１１とに分かれ、それらの端部が重なり合っている。この固定スクリーン１０下部には、重りである長尺座板１２及び短尺座板１３が固定スクリーン１０の下部を挟んだ状態で、ボルト１８ａにより取り付けられている。数m の幅を有する可動スクリーン１１下部の面ファスナー４側の、例えば８０〜１００cmの所定長さ部分には重りである短尺座板１４が可動スクリーン１１にボルト１８ｂにより取り付けられ、短尺座板１４を除いた部分には重りである上記の長尺座板１２及び短尺座板１５が可動スクリーン１１の下部を挟んだ状態で、ボルト１８ｃにより取り付けられている。従って、可動スクリーン１１下部の短尺座板１４側は長尺座板１２に取り付けられていないから可動状態にあり、これにより耐火スクリーン２には片開き式の避難扉３が形成される。なお、重りである長尺座板１２及び短尺座板１３、１４、１５は、火災時に設置場所である天井や梁下から耐火スクリーン２を垂下させるのに充分な重量があることが必要である。また、これらの長尺座板１２及び短尺座板１３、１４、１５の代わりに、固定スクリーン１０及び可動スクリーン１１の下部を袋状にして鉄粉や砂等を収納させてもよく、チェーンや部分的に重りを付けてもよい。その他、後述する図６のもの、円形板等種々のものが使用できる。更に、種々の重りの取り付けもネジ止め以外に、上記袋状にしてその中に収納したり、耐熱性の接着剤を使用してもよい。
【００１４】
この避難扉３は、可動スクリーン１１の一部をなすものであり、折り目１６が付けられて、開閉し易くなっている。この避難扉３と、耐火スクリーン２の固定スクリーン１０との間には、面ファスナー４が取り付けられ、避難扉３が開閉自在となっている。この面ファスナー４はオスとメスとがあり、図３では、避難扉３側の面ファスナー４ａがオスであるから、固定スクリーン１０側にはメスの面ファスナー４ｂがフラットバー１７を介して取り付けられていることになる（図３中、ボルトは省略）。なお、この面ファスナー４のオス、メスは、逆に取り付けても特に支障はない。そして、この面ファスナー４はステンレス製であり、例えば、ＳＵＳ３０４、ＳＵＳ３１６等である。面ファスナー４をステンレス製にすることにより、耐火性に優れ、且つ温度が上昇すると永久磁石とは反対に固着力が向上する点で好ましい。火災が進行し温度が上昇すると風圧が上昇するから、温度上昇によりステンレス製の面ファスナー４の固着力が向上することは、固定スクリーン１０から避難扉３が開きにくくなる方向に作用して、防火防煙の点で極めて都合がよい。ステンレス製の面ファスナー４の温度上昇により固着力が向上する度合は、７００℃で３０％、９２５℃で４６％になる。これは、ステンレス材が高温度に晒されることにより、変質しその強度が増すためであると考えられる。なお、面ファスナー４の固着力が向上して避難扉３が開きにくくなったとしても、面ファスナー４が剥がれない訳ではない。また、避難扉３が利用されるのは火災初期であり、ステンレス製の面ファスナー４が変質して固着力を増すような高温時では防火防煙が問題となることからしても高温になるにつれて固着力が向上することは好ましい。なお、図３中、固定スクリーン１０の下部が袋状になっているのは、床面との隙間を無くし、煙が漏れないようにするためである。
【００１５】
また、この面ファスナー４は、ステンレス製ファスナーと、樹脂製ファスナーとを併用しても良い。すなわち、ステンレス製ファスナーは温度上昇により固着力が向上して都合がよいが、逆に繰り返し使用による固着力低下の不都合がある一方、樹脂製ファスナーは繰り返し使用による固着力低下が低く都合が良いが、温度に弱い。従って、図５に示すように、例えば、固定スクリーン１０の上の面ファスナー５をステンレス製面ファスナーとし、下の面ファスナー６を樹脂製面ファスナーとして併用すれば、双方の利点を利用できる。また、この面ファスナー４は、ステンレス製面ファスナーと樹脂製面ファスナーとを水平方向に並べて配置してもよく、ステンレス製面ファスナーと磁石とを併用してもよい。その理由は樹脂製面ファスナーと同様である。また、面ファスナー４ａの上下方向の幅に比較して、面ファスナー４ｂの上下方向の幅を大きくした場合、避難扉３にガタつきが発生し、その閉鎖の際の上下方向に振れてもいずれかの面ファスナー４ａ、４ｂの固着を確実に行え、避難扉３を閉鎖状態にできる。
【００１６】
そして、上記の通り詳述した面ファスナー４並びに重りである短尺座板１４は、避難扉３にこれが開閉する際、最高速度となる部位及びその近傍に位置して設けられる。すなわち、図１に示す片開き式の避難扉３では、折り目１６を回動軸として開閉するから、この折り目１６から最も離れた位置Ａが最高速度となる部位になり、図２、図４に示す位置Ａ及びその近傍に面ファスナー４及び重りである短尺座板１４が取り付けられる。従って、この避難扉３が、折り目１６を回動中心として重力により耐火スクリーン２に重なる際、避難扉３の自重及び重りの短尺座板１４が有する最大の慣性モーメントが面ファスナー４にかかり、避難扉３と耐火スクリーン２とが最も強く固着する。なお、面ファスナー４の固着力は、面ファスナー４にかかる押圧力に略比例する。
【００１７】
次に、上記構成を採る防火防煙シャッター１の使用方法を説明する。
まず、建物の内部空間を遮蔽する位置の天井や梁下に防火防煙シャッター１を設置する。耐火スクリーン２は火災が発生すると図示しない巻取装置のロック状態が自動あるいは手動で解除され、自重により設置場所の天井や梁下から垂下して建物の内部空間を遮蔽する。この状態では耐火スクリーン２に避難扉３が固着して、閉鎖状態にあるから、火炎や煙を遮蔽している。避難者は避難扉３のスクリーン部に体ごと当たり面ファスナー４を剥がし開くか、あるいは手で避難扉３のスクリーン部を押して面ファスナー４を剥がしてから避難扉３を開いて、通過し避難する。避難扉３は、避難直後図４の状態になっているから、重力により図１のように移動して、固定スクリーン１０側の面ファスナー４ｂに当たり、その時の慣性モーメントにより固着し、以後避難扉３が閉鎖状態となり、火炎や煙が遮蔽される。再び避難者が避難する場合も上記と同様に作用する。そして、火災が進行し温度上昇があると、ステンレス製の面ファスナー４はその固着力を増し、風圧が上昇しても避難扉３が閉鎖状態を維持し、火炎や煙を良く遮蔽することが出来、その時点で仮に避難者がいても、避難扉３を開けることが出来るから避難できる。火災が鎮火したあと、建物全体の被害も含めて防火防煙シャッター１の被害が少ない状態であれば、防火防煙シャッター１を再び使用できる。
【００１８】
図６は可動スクリーン１１の避難扉３における他の実施形態である短尺座板１４ａを示すもので、短冊状の鉄片２０を可動スクリーン１１と同質の袋状物２１に入れ縫製し、この鉄片２０入り袋状物２１の側面を多数縫製して連結して形成し、この短尺座板１４ａを図６に示すように避難扉３に縫い付けることで、短尺座板１４ａは矢線Ｂ方向に湾曲出来て避難者が通りやすくなり、避難扉３が戻る時短尺座板１４ａは矢線Ｃ方向に湾曲せず耐火スクリーン２に避難扉３がステンレス製の面ファスナー４の作用により固着し易くなるものである。
【００１９】
図７は本発明の他の実施の形態の防火防煙シャッター１ａを示し、この防火防煙シャッター１ａと図１〜図５の防火防煙シャッター１との相違点は、一枚ものの固定スクリーン１０ａに、開口部２２が設けられると共にこの開口部２２を塞ぐ捲り上げ式の避難扉３ａが開閉可能に設けられ、その避難扉３ａ下部に重りである短尺座板１４ｂが取り付けられ、更に避難扉３ａ下部に取り付けられた短尺座板１４ｂの両端部及びこれに対応する固定スクリーン１０ａの下部に設けられた座板１３及び１５の開口部２２の近傍に面ファスナー４が設けられ、避難者が避難扉３ａを捲り上げ、開口部２２を通り避難する点にある。その他の構成、作用は図１〜図５の防火防煙シャッター１と略同様なので、図面に符号を付してその説明を省略する。
【００２０】
図８及び図９は本発明の他の実施の形態の防火防煙シャッター１ｂを示し、この防火防煙シャッター１ｂと図７の防火防煙シャッター１ａとの相違点は、開口部２２を塞ぐくぐり戸式の避難扉３ｂが固定スクリーン１０ａに開閉可能に設けられ、その避難扉３ｂは天井２３と側壁２４、２５とで形成され、側壁２４、２５の下部に重りである短尺座板１４ｃが取り付けられ、更に短尺座板１４ｃ、１４ｃ及びこれに沿う固定スクリーン１０ａの下部に設けられた座板１３及び１５に面ファスナー４が設けられ、避難者が図８に示すように避難扉３ｂを開き開口部２２を通り避難し、その後図９に示すように避難扉３ｂの自重により閉じる点にある。その他の構成、作用は図７の防火防煙シャッター１ａと略同様なので、図面に符号を付してその説明を省略する。なお、避難扉は既述以外のものとして、片開き式のものを２つ組み合わせた両開き式としたり、観音開きとすることも可能である。
【００２１】
【発明の効果】
請求項１の発明によれば、人が避難扉を開けて通過し避難したあと、避難扉は耐火スクリーンに重なり合う際に面ファスナーにより固着して、火災による風圧によっては開かない。従って、火災によって発生する風圧や温度上昇に伴う閉鎖状態の保持力低下を防止して、人が容易に通過し避難でき、且つ避難後の延焼や煙の拡散を防止することができる。また、避難扉が重力により耐火スクリーンに重なる際、避難扉の自重及び重りの重さの最大力が面ファスナーにかかり、避難扉と耐火スクリーンとが最も強く固着する。また、低価格であって、繰り返し利用による耐久性に優れる樹脂製面ファスナーと、耐熱性に優れるステンレス製面ファスナーの双方の利点を取り込むことが可能となる。従って、面ファスナーの固着性を長期に渡り有効に確保して、人の避難を確保しつつ避難後の風圧の増大に対応して延焼や煙の拡散を有効に防止し、更に経済性にも優れる。
【図面の簡単な説明】
【図１】本発明の実施の形態である防火防煙シャッターを示す斜視図である。
【図２】本発明の実施の形態である防火防煙シャッターの設置状態を示す横断面図である。
【図３】本発明の実施の形態である防火防煙シャッターを構成する避難扉下部の断面図である。
【図４】本発明の実施の形態である防火防煙シャッターの使用状態を示す斜視図である。
【図５】図１の防火防煙シャッターを構成する他の実施の形態の面ファスナーの斜視図である。
【図６】図１の防火防煙シャッターを構成する他の実施の形態の短尺座板の断面図である。
【図７】本発明の他の実施の形態である防火防煙シャッターを示す斜視図である。
【図８】本発明の他の実施の形態である防火防煙シャッターが開いた状態を示す斜視図である。
【図９】本発明の他の実施の形態である防火防煙シャッターが閉じた状態を示す斜視図である。
【図１０】従来例を示す斜視図である。
【符号の説明】
１、１ａ、１ｂ        防火防煙シャッター
２、５０              耐火スクリーン
３、３ａ、３ｂ        避難扉
４、４ａ、４ｂ、５、６      面ファスナー
１０、１０ａ          固定スクリーン
１１                  可動スクリーン
１２                  長尺座板
１３、１４、１４ａ、１４ｂ、１４ｃ、１５      短尺座板
１６                  折り目
１７                  フラットバー
１８ａ〜１８ｃ        ボルト
２０                  鉄片
２１                  袋状物
２２                  開口部
２３                  天井
２４、２５            側壁
５１                  スリット部
５２、５３            メインウエイトバー
５４、５５            サブウエイトバー
【図１】
0003732974.tif 000002
【図２】
0003732974.tif 000003
【図３】
0003732974.tif 000004
【図４】
0003732974.tif 000005
【図５】
0003732974.tif 000006
【図６】
0003732974.tif 000007
【図７】
0003732974.tif 000008
【図８】
0003732974.tif 000009
【図９】
0003732974.tif 000010
【図１０】
0003732974.tif 000011